(57)【要約】【課題】  電子部品の発熱を効果的に放熱するとともに、検査の際には容易に放熱器が取り外せる遊技機の制御装置を提供する。【解決手段】  発熱する電子部品（ＩＣ１２０）に熱伝導性部材（シリコンシート１４０）を介して放熱器（ヒートシンク１３０）を圧接し、基板ケース１７０に、ヒートシンク１３０の放熱フィン１３１を基板ケース１７０の外側へ突出させる貫通孔１７２を設けるとともにヒートシンク１３０の圧接部１７５を一体的に形成して構成する。【選択図】  図３
2006326102.tif 000002
【特許請求の範囲】
【請求項１】
電子制御回路によって制御される遊技機の制御装置であって、制御基板と、該制御基板に実装された電子部品と、該電子部品に圧接された放熱手段と、前記制御基板を被覆する基板ケースとを備え、前記放熱手段は放熱フィンを有する放熱器及び該放熱器と前記電子部品との間に介挿される熱伝導性部材を含み、前記基板ケースは前記放熱手段を前記電子部品に圧接する圧接部及び前記放熱フィンを前記基板ケースの外側へ突出させるための貫通孔を有することを特徴とする遊技機の制御装置。
【請求項２】
前記圧接部は、前記基板ケースから該基板ケースの内側方向に柱状に一体的に突設されてなることを特徴とする請求項１に記載の遊技機の制御装置。
【請求項３】
前記圧接部は、前記基板ケースから該基板ケースの内側方向に凹設され、前記貫通孔が設けられた壁面部であることを特徴とする請求項１に記載の遊技機の制御装置。
【発明の詳細な説明】
【技術分野】
【０００１】
本発明は、電子制御回路によって制御される遊技機の制御装置に関し、例えば、複数の識別情報を可変表示可能な可変表示装置を有し、その複数の識別情報を可変表示させた後停止させ、停止した複数の識別情報の組み合わせが予め定められた特定の態様となったとき遊技者に有利な状態となるよう制御される遊技機の制御装置に関する。
【背景技術】
【０００２】
従来、弾球式遊技機や回胴式遊技機など、数字や図柄等の複数の識別情報を可変表示可能な可変表示装置を有し、この可変表示装置によって所定の始動条件の成立に従い複数の識別情報を可変表示させ、所定の停止条件の成立に従い可変表示を停止させ、停止したときの識別情報の組み合わせが予め定められた特定の態様（全て同じ識別情報が揃う等）となった場合に、大当たり又はボーナスゲーム等の遊技者にとって有利な遊技状態となるように制御される遊技機がある。
【０００３】
この種の遊技機には遊技者の射幸心を徒に高揚させることを防止するため、遊技機の性能、効果演出の機能等の細部に種々の規制があり、指定の検査機関の検査にてこれらの規制事項に適合していることの認定を受けなければ遊技機を市場に投入することができない。従って、この種の遊技機の制御基板は、指定の検査機関の検査にて適合認定を受けた後は、電子回路やその記憶装置（ＲＯＭやＲＡＭ等）の内容が不正に改造されないよう、基板ケースで被覆されて外部からの異物の侵入や不正な改造を防止している。
【０００４】
この種の可変表示装置を備えた遊技機においては、遊技性を高めるため、或いは遊技者の興趣を惹起するために、映像や音声による各種の効果演出がなされている。これらの効果演出を制御する電子部品（ＶＤＰ、ＣＰＵ等の実装ＩＣ）は、その動作により発熱するため、その発生する熱をその電子部品に蓄積させないよう周囲に放熱する必要がある。このような放熱手段を構成する放熱器として、複数の放熱フィンを備えたヒートシンクがある。
【０００５】
ヒートシンクを用いて効果的に電子部品の放熱を図るには、対象の電子部品にヒートシンクを密着させて確実に固定する必要がある。この固定手段として、対象の電子部品とヒートシンクとを専用の金具で固着したり、対象の電子部品にヒートシンクが密着するようその電子部品が実装された制御基板にヒートシンクを固定部材で固着したり、或いは熱伝導性があり粘着性のあるシリコンゴムシート等を電子部品とヒートシンクの間に挟んでシリコンゴムの粘着性を利用して両者を接着したり、又はこれらのいくつかの手段を併用する等の手段を用いていた。
【０００６】
【特許文献１】特開２０００−２２３７０号公報
【特許文献２】特開２００１−２４４６６８号公報
【発明の開示】
【発明が解決しようとする課題】
【０００７】
然しながら、電子部品の発熱を効果的に放熱するためにはその電子部品とヒートシンクを密着させて確実に固定する必要がある一方で、遊技機が指定の検査機関で検査を受ける際には、電子部品の表面に施された表示を確認するためにヒートシンクを一時的に電子部品から取り外す必要があることから、ヒートシンクが電子部品から容易に取り外せる構造にする必要もある。
【０００８】
前述した電子部品とヒートシンクを専用金具で固着する方法又は電子部品の実装された制御基板にヒートシンクを固定部材で固着する方法では、電子部品とヒートシンクとの確実な固定強度は得られるが検査機関においてヒートシンクの取り外しが煩雑或いは困難であるという課題があった。また、ヒートシンクを取り付けるための専用部品が必要で部品点数が増加するという課題があった。
【０００９】
ヒートシンクの取り外しを容易にするため熱伝導性シリコンゴム等の粘着性のみを利用してヒートシンクを電子部品に接着固定する方法では、シリコンゴムの粘着力が弱いため固定強度が低く、電子部品とヒートシンクの密着状態によっては十分な放熱効果が得られず、さらには電子部品からヒートシンクが脱落する可能性があるという課題があった。
【００１０】
また、制御装置への異物の侵入や不正な改造を防止するために制御基板をヒートシンクごと基板ケースで被覆するとヒートシンクから発散された熱が基板ケース内に充満し、十分な放熱効果が得られないという課題があった。
【００１１】
本発明はこのような従来の課題を解決するためになされたもので、電子部品の発熱を効果的に放熱するとともに、検査機関での検査の際には容易に放熱手段が取り外せる制御装置を提供することを目的とする。
【課題を解決するための手段】
【００１２】
このような課題を解決するために請求項１に記載の発明は、電子制御回路によって制御される遊技機の制御装置であって、制御基板と、該制御基板に実装された電子部品と、該電子部品に圧接された放熱手段と、前記制御基板を被覆する基板ケースとを備え、前記放熱手段は放熱フィンを有する放熱器及び該放熱器と前記電子部品との間に介挿される熱伝導性部材を含み、前記基板ケースは前記放熱手段を前記電子部品に圧接する圧接部及び前記放熱フィンを前記基板ケースの外側へ突出させるための貫通孔を有することを特徴とする。
【００１３】
この請求項１に記載の遊技機の制御装置によれば、放熱手段が放熱フィンを有する放熱器と、この放熱器と前記電子部品との間に介挿される熱伝導性部材とで構成されるので、放熱フィンから良好な放熱効果が得られるとともに検査機関での検査の際には放熱手段が容易に取り外される。また、基板ケースが放熱手段を前記電子部品に圧接する圧接部を有する構成なので、この圧接部が放熱手段を電子部品に圧接して、放熱手段を電子部品に確実に固着する。さらに、基板ケースが放熱器の放熱フィンを基板ケースの外側へ突出させるための貫通孔を有する構成なので、放熱フィンが基板ケースの外側に突出する。
【００１４】
請求項２に記載の遊技機の制御装置は、圧接部が基板ケースからこの基板ケースの内側方向に柱状に突設されて構成されるので、この柱状の圧接部が放熱手段を電子部品に圧接し、専用の固定部材を用いずに放熱手段を電子部品に確実に固着する。
【００１５】
請求項３に記載の遊技機の制御装置は、圧接部が基板ケースからこの基板ケースの内側方向に凹設される壁面部で構成され、この壁面部に放熱器の放熱フィンを突出させる貫通孔を有する構成なので、この壁面部が放熱手段を電子部品に圧接して確実に固着させるとともに放熱フィンの殆ど全ての部分が基板ケースの外側に突出する。
【発明の効果】
【００１６】
本発明に係る遊技機の制御装置は、制御基板に実装された電子部品と、この電子部品に固定された放熱手段と、上記制御基板を被覆する基板ケースとを備えており、放熱器を熱伝導性部材を介して電子部品に固着し、さらに基板ケースに設けた圧接部で放熱手段を電子部品に圧接固着する構成なので、基板ケースを取り外した状態では電子部品と放熱手段が熱伝導性部材の弱い粘着力のみで固着されているため、検査機関での検査の際に容易に放熱手段を電子部品から取り外すことが可能で、容易に電子部品の表示を確認することができる。また、基板ケースを取り付けた状態では電子部品と放熱手段が確実に圧接固着されて十分な放熱効果を得られ、放熱手段が電子部品から脱落することがない。
【００１７】
また、基板ケースの一部を利用して放熱手段を電子部品に圧接しているため、放熱手段を取り付けるための専用部品を要さない。
【００１８】
さらに、放熱手段の放熱フィンを基板ケースに設けた貫通孔から基板ケースの外側へ突出させているため、放散された熱が基板ケース内に篭ることなく外部へ発散されるので、高い放熱効果を得ることができる。
【００１９】
また、基板ケースには放熱フィンが挿通されるのに最小限必要な形状の貫通孔が形成されているので外部からの基板ケース内への異物の侵入を防止することができ、制御基板への不正な電子部品の組み込みや不正改造行為も防止することができる。
【発明を実施するための最良の形態】
【００２０】
本発明は、数字やキャラクタの図柄等の複数の識別情報を可変表示可能な液晶表示器、回胴ドラム、７セグメントＬＥＤ等の可変表示装置を有する遊技機に用いて好適する制御装置である。これらの遊技機は、打球の特定入賞口への入賞や回胴スタートレバーの操作等、所定の始動条件の成立に従って識別情報の変動表示が開始され、識別情報の変動後、所定時間の経過やストップボタンの操作等、所定の停止条件に従って識別情報の変動が停止され、停止時の識別情報の組み合わせが予め定められた特定の態様（例えば「７７７」の様に同じ数字や図柄が揃う）となったときに遊技者に有利な遊技価値（可動入賞装置の開成、ボーナスゲームの開始など）を付与するものである。
【００２１】
この種の遊技機は、遊技性を高めて遊技者の興趣を惹起するために、画像や音声によって各種の効果演出を行っている。従って、これらの効果演出を制御するための制御装置を備えている。
【実施例１】
【００２２】
以下、本発明に係る回胴式遊技機としてスロットマシンを例にその好適な実施形態を説明する。ここで、図１はスロットマシンの外観を表す正面図、図２はスロットマシンの前扉を開放してその内部の構造を表した図である。
【００２３】
まず図１を参照し、スロットマシン１の外観構造を説明する。スロットマシン１は、いわゆるフロントマスクを形成する前扉２が略矩形状の箱体である筐体（図２の符号３参照）の開口部に対し開閉可能に取り付けられている。前扉２は、視覚効果を高めてデザインされた上部パネル部４、下部パネル部５及び操作卓６に概ね区分けされ、これらは硬質プラスチックにより一体的に形成されている。
【００２４】
上部パネル部４の上部及び側部には、高輝度の発光ダイオードを内蔵する演出用照明部７、８ａ、８ｂがそれぞれ配置されている。また、スピーカを内蔵し遊技に係る効果音を発生させる演出用放音部９ａ、９ｂが上部パネル部４の左右にそれぞれ配置されている。また、演出用放音部９ａ、９ｂの間には、遊技の演出に係る映像を主に表示する演出表示装置としての液晶表示ユニット１０が配置されている。
【００２５】
更に上部パネル部４には平板状のパネル面を有するパネルユニット１１が取り付けられ、その中央に略長方形の透明な表示窓１２が形成されている。表示窓１２を通して目視されるリール１３ａ、１３ｂ、１３ｃは、それぞれ円筒形状を有して独立して回転可能であり、筐体内において回転軸方向に３個配列されている。遊技者は、各リール１３ａ、１３ｂ、１３ｃの外周面に配置した複数種類の図柄（識別情報）のうち縦３個、横３列の図柄を、表示窓１２を通して目視することができる。
【００２６】
上部パネル部４と下部パネル部５との間に設けられている操作卓６には、ゲームに用いるメダルを投入するための投入口を有するメダル投入部１４と、ベットボタン１５と、スタートレバー１６と、ストップボタン１７ａ、１７ｂ、１７ｃがそれぞれ配設されている。
【００２７】
ベットボタン１５は、スロットマシンの当該ゲームに賭けるメダルの枚数を提示するための押圧操作可能なボタンスイッチである。スタートレバー１６は、リール１３ａ、１３ｂ、１３ｃの回転開始の操作をするための傾倒操作可能なレバースイッチである。リール１３ａ、１３ｂ、１３ｃの回転停止の操作をするためのストップボタン１７ａ、１７ｂ、１７ｃは、それぞれ押圧操作可能なボタンスイッチから形成され、各リールの配列に対応してそれぞれ並べて配置されている。
【００２８】
下部パネル部５には、スロットマシン１のモデルタイプを遊技者へ認識させる等のため、登場キャラクタの絵などを表示するパネル２１が設けられている。また、下部パネル部５の下側部には、メダルを貯留するための受皿部２３が形成された受皿ユニット２２が設けられている。また受皿ユニット２２には、入賞時にメダルを排出するメダル払出口２４と、スピーカを内蔵し演出効果音を発生させる演出用放音部２５とがそれぞれ配置されている。
【００２９】
次に、図２を参照して、筐体３の内部構造と前扉２の裏面構造とを説明する。同図において、筐体３内の上部には、ＣＰＵ、ＲＯＭ、ＲＡＭ等を備えるマイクロコンピュータから形成される制御基板であって、スロットマシン１の全体動作を集中して制御するメイン制御基板３０が硬質プラスチックの基板ケースに被覆されたメイン制御装置３１が取り付けられている。
【００３０】
筐体３内の中央には、リール１３ａ、１３ｂ、１３ｃを備える可変表示装置としてのリールユニット１３が設けられている。リールユニット１３は、前扉２のパネルユニット１１に形成された表示窓１２に対しリール１３ａ、１３ｂ、１３ｃが対向するように、筐体３のフレーム３２に位置決めされて取り付けられている。
【００３１】
また、リールユニット１３の上部には、各リール１３ａ、１３ｂ、１３ｃを回転駆動するステッピングモータへ４相の駆動パルス信号を送出する図示しない回胴装置基板が取り付けられており、メイン制御基板３０が回胴装置基板に回胴駆動（励磁）パルスデータを送出することで、各リールの回転と制動及び停止の制御を行っている。
【００３２】
リールユニット１３の下方には、メダル投入部１４から投入されたメダルを貯留し入賞の配当の際に排出口３３ａからメダルを排出するメダル払出装置としてのホッパ装置３３と、ホッパ装置３３から溢れたメダルを収容する補助貯留部３４と、スロットマシン１に内蔵される各機器へ電力を配電する主電源装置３５が設けられている。
【００３３】
次に、前扉２の裏面側上部には、上述の演出用照明部７を構成する発光ダイオード４３と、演出用放音部９ａ、９ｂ（図１参照）に対向するスピーカ４２ａ、４２ｂが取り付けられている。また、図２には示していないが、スピーカ４２ａ、４２ｂの間に、液晶表示ユニット１０が取り付けられ、液晶表示ユニット１０の裏面側に当該液晶表示ユニット等を制御駆動するサブ制御基板４０が基板ケースに被覆されたサブ制御装置４１が取り付けられている。
【００３４】
なお、スロットマシン１の全体の動作は、筐体３側に設けられているメイン制御基板３０によって統括制御されており、サブ制御基板４０は、液晶表示ユニット１０による演出映像の表示制御、演出用照明部７、８ａ、８ｂ等を使った照明制御、及び演出用放音部９ａ、９ｂ、２５を使った演出効果音制御など、ゲームの演出に係る制御を主に行なっている。
【００３５】
サブ制御装置４１の下方には、透明な表示窓１２が形成されたパネルユニット１１が配置される。また、パネルユニット１１は、リール１３ａ、１３ｂ、１３ｃの外周面を照射して図柄を明るく表示させるための冷陰極蛍光ランプ４４と、冷陰極蛍光ランプ４４を駆動するインバータ４５と、スタートレバー１６及びストップボタン１７ａ、１７ｂ、１７ｃ等の操作スイッチ類の出力信号をメイン制御基板３０へ転送する中継基板である中央表示基板４６とを備え、これらがユニット化されている。
【００３６】
パネルユニット１１の下方には、メダル選別装置４７が取り付けられている。メダル選別装置４７は、メダル投入部１４（図１参照）に投入されたメダルの適否を判別し、規定のメダルのみを選別する。メダル選別装置４７は、内蔵するメダルセンサが投入されたメダルを検知したとき、メダル投入コマンド信号をメイン制御基板３０へ送出している。
【００３７】
メダル選別装置４７の下方には、選別された規定のメダルをホッパ装置３３へ案内するためのガイド部材４８と、メダル選別装置４７により排除されたメダル（又は異物）をメダル排出口２４へ案内するためのガイド部材４９と、入賞の際にホッパ装置３３の排出口３３ａから排出されたメダルをメダル排出口２４へ案内するためのガイド部材５０が設けられている。更に、メダル排出口２４に隣接して、上述した演出用放音部２５に対向するスピーカ５１が取り付けられている。
【００３８】
かかる構成のスロットマシン１は、先のゲームにおいて入賞しメダルの払い出しが完了した時、又は先のゲームにおいてハズレが確定すると待機状態となる。この状態において、何れかのベットボタン１５が押圧操作されると、内部に貯留したメダル（クレジット）から当該ゲームにメダルが賭けられ、ゲームが開始する。
【００３９】
ゲーム開始の状態で、スタートレバー１６が傾倒操作されると、メイン制御基板３０はリール１３ａ、１３ｂ、１３ｃを一斉に回転させ始める。同時に入賞役を内部的な処理で抽選し、その結果を役抽選フラグ（メモリ）に記憶する。
【００４０】
次に、遊技者がストップボタン１７ａ、１７ｂ、１７ｃを任意の順番で押圧操作すると、メイン制御基板３０は、それに従い順次、対応するリールを停止させる。そして、全てのリール１３ａ、１３ｂ、１３ｃが停止したことを検知すると、各リールに表示された図柄の組み合わせが、上述の役抽選フラグに記憶された入賞役に係る図柄の組み合わせと一致しているか否か判定する。これらが一致したときには、当該入賞が確定し、その入賞役の種類に応じた配当数のメダルをクレジットに加算する。入賞の配当によりクレジットが上限を超える場合には、ホッパ装置３３から超過分のメダルを受皿部２３へ払い出している。
【００４１】
本発明の遊技機の制御装置は、上述したメイン制御装置３１、サブ制御装置４１等に好適するものである。図３及び図４は本発明の第１実施例を詳述するための図であり、図３は第１実施例の制御装置１００を示す分解斜視図、図４は図３の要部を示す側面図である。
【００４２】
図３において符号１１０は遊技機における各種の制御をするための電子回路を構成する制御基板である。この制御基板１１０にはこの電子回路の主たる動作を実行する電子部品であるＩＣ１２０その他の電子部品が搭載されている。
【００４３】
このＩＣ１２０の動作に伴う発熱を主に放散する機能を担う放熱器としてのヒートシンク１３０には複数の板状の放熱フィン１３１が形成されており、このヒートシンク１３０に伝わった熱をこの放熱フィン１３１の外表面から周囲に放熱するものである。
【００４４】
ＩＣ１２０とヒートシンク１３０の間にはシリコンゴム製の熱伝導性シート１４０が介挿される。このシリコンゴムシート１４０は熱伝導性とともに粘着性を有しており、ＩＣ１２０とヒートシンク１３０を密接に接着固定する。
【００４５】
透明プラスチックで成型された基板ケース１７０には、ヒートシンク１３０をＩＣ１２０に圧接するための複数の柱状圧接部１７５（図４参照）がその内側方向に突設されている。また、基板ケース１７０の天面部には、ヒートシンク１３０の放熱フィン１３１に対応する複数の貫通孔１７１が設けられている。
【００４６】
このようにＩＣ１２０と、シリコンゴムシート１４０及びヒートシンク１３０からなる放熱手段１５０を装備した制御基板１１０が下ケース１６０上に載置され、異物の侵入及び不正な改造を防止するために基板ケース１７０によって被覆されて制御装置１００が構成される。
【００４７】
図４は図３の第１実施例の要部を示す側面図であり、図４（Ａ）は制御装置１００を組み立てる際の各部材の位置関係を示し、図４（Ｂ）は基板ケース１７０を下ケース１６０に固定して制御装置１００を組み立てた状態を示している。
【００４８】
基板ケース１７０の天面部には、ヒートシンク１３０の放熱フィン１３１の先端側の一部を基板ケース１７０の外側に突出させることができるように、複数の放熱フィン１３１の形状に応じた複数の貫通孔１７１が形成されている。
【００４９】
またこの基板ケース１７０の天面部から基板ケース１７０の内側方向に向けて、ヒートシンク１３０をＩＣ１２０に圧接固定するための柱状の圧接部１７５が、基板ケース１７０から一体的に複数個所形成されている。
【００５０】
この第１実施例では、ヒートシンク１３０の基台部１３３の四隅に凹設された係合部１３４に対応して４本の柱状圧接部１７５が設けられている。
【００５１】
図４（Ｂ）に示すように、基板ケース１７０を下ケース１６０にネジ１８０等によって固定して制御装置１００が組み立てられた状態では、ヒートシンク１３０の底面部１３２（図４（Ａ）参照）がシリコンゴムシート１４０を介してＩＣ１２０の上面部１２１（図４（Ａ）参照）に密着して固定されるとともに、複数の柱状圧接部１７５の先端部１７６（図４（Ａ）参照）がヒートシンク１３０の基台部１３３に形成された係合部１３４に係合してヒートシンク１３０とＩＣ１２０との固着を確実にしている。
【００５２】
このときシリコンゴムシート１４０は、柱状圧接部１７５の圧接力により厚み方向に弾性変形する。これにより熱伝導の妨げとなる空気を排除して熱伝導効率を向上させるとともに、ヒートシンク１３０及び柱状圧接部１７５の寸法公差内のバラツキを吸収している。
【００５３】
また、ヒートシンク１３０の放熱フィン１３１の先端側の一部が基板ケース１７０の貫通孔１７１に挿通されて基板ケース７の外側に突出している。
【００５４】
このように構成された第１実施例の制御装置１００は、ＩＣ１２０の動作によりＩＣ１２０に発生した熱が熱伝導性シリコンゴムシート１４０を介してヒートシンク１３０に伝わり、ヒートシンク１３０の放熱フィン１３１から制御装置１００の外部へ発散される。
【００５５】
また、基板ケース１７０を制御装置１００から取り外した状態では、ＩＣ１２０と放熱手段１５０とはシリコンゴムシート１４０の粘着力のみで固定されているだけなので、放熱手段１５０をＩＣ１２０から容易に取り外すことができる。よって検査機関での検査の際に容易にＩＣ１２０の表示を確認することができる。
【実施例２】
【００５６】
図５及び図６は、それぞれ本発明の第２実施例を示す分解斜視図及び要部側面図である。なお、上述した第１実施例と同一の機能を有する部材には図３及び図４と同一の符号を付し、詳細な説明を省略する。
【００５７】
この第２の実施例は、前述した第１の実施例と基板ケース１７０の一部に形成された圧接部１７７の形状が異なる。即ち、基板ケース１７０に設けられた、ヒートシンク１３０の放熱フィン１３１を突出させるための貫通孔１７２を含むヒートシンク１３０に対向する部分を、基板ケース１７０の内側方向に凹設して壁面状圧接部１７７を構成している。
【００５８】
図６は図５の第２実施例の要部を示す側面図であり、図６（Ａ）は制御装置１９０を組み立てる際の各部材の位置関係を示し、図６（Ｂ）は基板ケース１７０を下ケース１６０に固定して制御装置１９０を組み立てた状態を示しており、第１実施例の第４図（Ａ）及び第４図（Ｂ）にそれぞれ対応するものである。
【００５９】
この第２実施例では、図６（Ｂ）に示すように、基板ケース１７０が下ケース１６０に取り付けられた状態で、放熱フィン１３１を突出させるための貫通孔１７２周辺の壁面部が放熱手段１５０をＩＣ１２０に圧接する圧接部１７７となっている。
【００６０】
このように構成された第２実施例の制御装置１９０は、壁面状圧接部１７７によって放熱手段１５０が確実にＩＣ１２０に圧接固定されるとともにヒートシンク１３０の放熱フィン１３１の殆ど全ての部分が基板ケース１７０の外側に突出するように構成されているので、より高い放熱効果を得ることができる。
【００６１】
また、シリコンゴムシート１４０は、壁面状圧接部１７７の圧接力により厚み方向に弾性変形する。これにより熱伝導の妨げとなる空気を排除して熱伝導効率を向上させるとともに、ヒートシンク１３０及び壁面状圧接部１７７の寸法公差内のバラツキを吸収している。
【００６２】
基板ケース１７０を制御装置１９０から取り外した状態では、ＩＣ１２０と放熱手段１５０とはシリコンゴムシート１４０の粘着力のみで固定されているだけなので、放熱手段１５０をＩＣ１２０から容易に取り外すことができる。よって検査機関での検査の際に容易にＩＣ１２０の表示を確認することができる。
【００６３】
以上、本発明の実施の形態について説明したが、本発明はこれらに限定されるものではない。例えば基板ケースに設けられる圧接部の形状、数量並びにヒートシンク及び放熱フィンの形状、数量等は、本発明の技術的思想の範囲内で任意に選択できるものである。
【産業上の利用可能性】
【００６４】
本発明に係る遊技機の制御装置は、動作により発熱を伴う電子部品とその発熱を放熱するための放熱手段を具備した回路基板を、基板ケースで被覆する必要のある制御装置に利用して好適するものである。
【図面の簡単な説明】
【００６５】
【図１】本発明に係る遊技機としてのスロットマシンの正面図である。
【図２】図１のスロットマシンの内部構造を表した図である。
【図３】本発明の制御装置の第１実施例を示す分解斜視図である。
【図４】図３の要部を示す側面図である。
【図５】本発明の制御装置の第２実施例を示す分解斜視図である。
【図６】図５の要部を示す側面図である。
【符号の説明】
【００６６】
１００、１９０  制御装置
１１０  制御基板
１２０  電子部品（ＩＣ）
１３０  放熱器（ヒートシンク）
１３１  放熱フィン
１４０  熱伝導性部材（シリコンゴムシート）
１５０  放熱手段
１６０  下ケース
１７０  基板ケース
１７１、１７２  貫通孔
１７５、１７７  圧接部
【図１】
2006326102.tif 000003
【図２】
2006326102.tif 000004
【図３】
2006326102.tif 000005
【図４】
2006326102.tif 000006
【図５】
2006326102.tif 000007
【図６】
2006326102.tif 000008